(57)【要約】【課題】  壁パネルの厚みを含めたトータル的な薄壁化を図り得る天井パネルと壁パネルの連結構造を提供する。【解決手段】  廻し縁付接続材３ａが、その断面４が略Ｆ字形状５の柱状体６を有し、且つ、前記Ｆ字型形状５が、垂直片７、上端水平辺９、及び第二水平辺１０により形成され、溝部１１に天井パネル１の側端部１２を嵌入、把持する一方、垂直片７と第二水平辺１０とにより形成されるコーナー部１３に壁パネル２の上面外側コーナー部１４を当接せしめるとともに、壁パネル２を内側から垂直片７に取付ネジ１５で螺着するので、充分な取り付け強度の確保を図り得ることに加えて、壁パネル２の内面１８から廻し縁付接続材３ａの背面に突出した取付ネジの先端部までの距離を短くでき、ユニットバスルームにおける壁パネルの厚みを含めたトータル的な薄壁化をも図り得ることとなる。【選択図】図１
2005307619.tif 000002
【特許請求の範囲】
【請求項１】
天井パネルと、複数の壁パネルと、前記天井パネルと前記壁パネルとを相互に結合するパネル接続材とを使用して形成される天井パネルと壁パネルの連結構造であって、前記パネル接続材が、その断面が略Ｆ字形状の柱状体を有し、且つ、前記Ｆ字型形状が、垂直片と、前記垂直片の上端から水平方向に延設した上端水平辺と、前記上端水平辺と平行に前記垂直片の中程から水平方向に延設した第二水平辺により形成され、前記垂直片と前記上端水平辺と前記第二水平辺とにより形成される溝部に前記天井パネルの側端部を嵌入、把持する一方、前記垂直片と前記第二水平辺とにより形成されるコーナー部に前記壁パネルの上面外側コーナー部を当接せしめるとともに、前記壁パネルを内側から前記垂直片に取付ネジで螺着することを特徴とする天井パネルと壁パネルの連結構造。
【請求項２】
前記パネル接続材が、前記第二水平辺の先端から垂下し前記取付ネジの頭部をカバーし得る廻し縁部を具備する廻し縁付接続材であることを特徴とする請求項１記載の天井パネルと壁パネルの連結構造。
【発明の詳細な説明】
【技術分野】
【０００１】
本発明は、ユニットバスルームにおける天井パネルと壁パネルの連結構造に関するものである。
【背景技術】
【０００２】
従来より、ユニットバスルーム３１における天井廻し縁２１と壁パネル３０との接合構造として、例えば、図２に示すように、壁パネル３０のフレーム２２の上部に形成した立ち上がり片２３と天井パネル２９のフレーム２４からの垂下片２５とを取付ネジ１５で固定するとともに、壁パネル３０の係合凹部２６に天井廻し縁２１を打ち込み固定したものが知られている。そして、上記天井廻し縁２１は、その上下両端がヒレ２７、２８を有する形状のものであり、材質は軟質塩化ビニル系のものを使用しているが、これを天井パネル２９と壁パネル３０との間に打ち込んで上下両端のヒレ２７、２８を天井パネル２９と壁パネル３０の夫々の端面に圧接させることにより止水するものである。
【０００３】
ところが、かかる従来の天井パネル２９と壁パネル３０との接合部については、以下のような問題点が指摘されていた。すなわち、天井廻し縁２１を天井パネル２９と壁パネル３０との間に打ち込む際には、強い反発力を受けることとなり、また、軟質塩化ビニル系の天井廻し縁２１は周囲の温度により材質硬度が変化する性質があるため、一層、打ち込み難いものとなる。これに加えて、止水用のヒレ２７、２８が上下両端に設けられているため、天井廻し縁２１の下端部が波打ち込み易く、作業者の熟練度によって仕上がり精度に差が生じ易い。さらには、天井パネル２９と壁パネル３０との間に一定のクリアランスを確保する必要があるため、天井ビス止め箇所が多くなり、施工に手間がかかる等である。
【０００４】
一方、本願出願人においても、かかる問題点に対応するため、既に、特開平６−１４６５６６号公報（特許文献１）等において、施工精度の向上と施工の省力化を図った天井廻し縁の取付構造を開示している。
【０００５】
他方、ユニットバスルーム用途における天井パネルと壁パネルとの取付構造においては、施工精度の向上と施工の省力化に加えて、ユニットバスルームにおける壁パネルの厚みを含めたトータル的な薄壁化が重要な解決課題となっている。この点、上記特許文献１に開示した取付構造においても、なお、かかるユニットバスルームの薄壁化等の観点からは、さらなる改良の余地を残すものであった。
【特許文献１】特開２００３−２１３８６０号公報
【発明の開示】
【発明が解決しようとする課題】
【０００６】
本発明は、上記背景技術に鑑みて発明されたものであり、その課題は、充分な取り付け強度の確保を図り得ることに加えて、ユニットバスルームにおける壁パネルの厚みを含めたトータル的な薄壁化を図り得る天井パネルと壁パネルの連結構造を提供することである。
【課題を解決するための手段】
【０００７】
上記課題を解決するために、請求項１に係る発明の天井パネルと壁パネルの連結構造にあっては、天井パネルと、複数の壁パネルと、前記天井パネルと前記壁パネルとを相互に結合するパネル接続材とを使用して形成される天井パネルと壁パネルの連結構造であって、前記パネル接続材が、その断面が略Ｆ字形状の柱状体を有し、且つ、前記Ｆ字型形状が、垂直片と、前記垂直片の上端から水平方向に延設した上端水平辺と、前記上端水平辺と平行に前記垂直片の中程から水平方向に延設した第二水平辺により形成され、前記垂直片と前記上端水平辺と前記第二水平辺とにより形成される溝部に前記天井パネルの側端部を嵌入、把持する一方、前記垂直片と前記第二水平辺とにより形成されるコーナー部に前記壁パネルの上面外側コーナー部を当接せしめるとともに、前記壁パネルを内側から前記垂直片に取付ネジで螺着することを特徴とするものである。
【０００８】
請求項２に係る発明の天井パネルと壁パネルの連結構造にあっては、請求項１記載の天井パネルと壁パネルの連結構造において、前記パネル接続材が、前記第二水平辺の先端から垂下し前記取付ネジの頭部をカバーし得る廻し縁部を具備する廻し縁付接続材であることを特徴とするものである。
【発明の効果】
【０００９】
本発明の天井パネルと壁パネルの連結構造では、天井パネルと、複数の壁パネルと、前記天井パネルと前記壁パネルとを相互に結合するパネル接続材とを使用して形成される天井パネルと壁パネルの連結構造であって、前記パネル接続材が、その断面が略Ｆ字形状の柱状体を有し、且つ、前記Ｆ字型形状が、垂直片と、前記垂直片の上端から水平方向に延設した上端水平辺と、前記上端水平辺と平行に前記垂直片の中程から水平方向に延設した第二水平辺により形成され、前記垂直片と前記上端水平辺と前記第二水平辺とにより形成される溝部に前記天井パネルの側端部を嵌入、把持する一方、前記垂直片と前記第二水平辺とにより形成されるコーナー部に前記壁パネルの上面外側コーナー部を当接せしめるとともに、前記壁パネルを内側から前記垂直片に取付ネジで螺着するので、壁パネルを直接螺着する構造とすることができ、充分な取り付け強度の確保を図り得ることに加えて、壁パネルの内面からパネル接続材（廻し縁付接続材）の背面に突出した取付ネジの先端部までの距離を短くでき、ユニットバスルームにおける壁パネルの厚みを含めたトータル的な薄壁化をも図り得ることとなる。さらに、本発明の天井パネルと壁パネルの連結構造においては、前記パネル接続材が、前記第二水平辺の先端から垂下し前記取付ネジの頭部をカバーし得る廻し縁部を具備する廻し縁付接続材とすることにより、取付ネジの頭部の露出を回避し、良好な美観を保持し得ることとなる。
【発明を実施するための最良の形態】
【００１０】
以下、本発明の実施形態を図面に基づき説明する。なお、本発明の天井パネルと壁パネルの連結構造は、下記の実施形態にのみ限定されるものではなく、本発明の要旨を逸脱しない範囲内において種々変更を加え得ることは勿論である。ここで、図１は、本発明の一実施形態である天井パネルと壁パネルの連結構造の概略を模式的に示す断面図である。
【００１１】
すなわち、本実施形態の天井パネルと壁パネルの連結構造は、図１に示すように、ユニットバスルーム３１に係るものであって、天井パネル１と、複数の壁パネル２と、前記天井パネル１と前記壁パネル２とを相互に結合するパネル接続材３（ここでは、後述するように、廻し縁付接続材３ａ）とを使用して形成されるものである。さらに、本実施形態の天井パネルと壁パネルの連結構造においては、廻し縁付接続材３ａであるパネル接続材３が、その断面４が略Ｆ字形状５の柱状体６を有し、且つ、前記Ｆ字型形状５が、垂直片７と、その垂直片７の上端８から水平方向に延設した上端水平辺９と、この上端水平辺９と平行に前記垂直片７の中程から水平方向に延設した第二水平辺１０により形成され、垂直片７と上端水平辺９と第二水平辺１０とにより形成される溝部１１に前記天井パネル１の側端部１２を嵌入、把持する一方、前記垂直片７と第二水平辺１０とにより形成されるコーナー部１３に壁パネル２の上面外側コーナー部１４を当接せしめるとともに、前記壁パネル２を内側から前記垂直片７に取付ネジ１５で螺着するので、壁パネル２を直接螺着する構造とすることができ、充分な取り付け強度の確保を図り得ることに加えて、壁パネル２の内面１８からパネル接続材３（廻し縁付接続材３ａ）の背面に突出した取付ネジ１５の先端部１９までの距離（Ｄ１）を、上記従来例（図３参照）の場合（Ｄ０）よりも短くでき、ユニットバスルーム３１における壁パネル２の厚みを含めたトータル的な薄壁化をも図り得ることとなる。さらに、本実施形態の天井パネルと壁パネルの連結構造においては、パネル接続材３を、前記第二水平辺１０の先端２０から垂下し前記取付ネジ１５の頭部１６をカバーし得る廻し縁部１７を具備する廻し縁付接続材３ａとしているので、取付ネジ１５の頭部１６の露出を回避し、良好な美観を保持し得ることとなる。
【図面の簡単な説明】
【００１２】
【図１】本発明の一実施形態である天井パネルと壁パネルの連結構造の概略を模式的に示す断面図である。
【図２】従来例に係る天井パネルと壁パネルの連結構造の概略を模式的に示す断面図である。
【符号の説明】
【００１３】
１    天井パネル
２    壁パネル
３    パネル接続材
３ａ  廻し縁付接続材
４    断面（パネル接続材３）
５    Ｆ字形状（パネル接続材３）
６    柱状体（パネル接続材３）
７    垂直片（パネル接続材３、Ｆ字形状５）
８    上端（垂直片７）
９    上端水平辺（パネル接続材３、Ｆ字形状５）
１０    第二水平辺（パネル接続材３、Ｆ字形状５）
１１    溝部（パネル接続材３）
１２    側端部（天井パネル１）
１３    コーナー部（パネル接続材３）
１４    上面外側コーナー部（壁パネル２）
１５    取付ネジ
１６    頭部（取付ネジ１５）
１７    廻し縁部（廻し縁付接続材３ａ）
１８    内面（壁パネル２）
１９    先端部（取付ネジ１５）
２０    先端（第二水平辺１０）
２１    天井廻し縁
２２    フレーム（壁パネル３０）
２３    立ち上がり片（壁パネル３０）
２４    フレーム（天井パネル２９）
２５    垂下片（フレーム２４）
２６    係合凹部（壁パネル３０）
２７    ヒレ（天井廻し縁２１）
２８    ヒレ（天井廻し縁２１）
２９    天井パネル（従来例）
３０    壁パネル（従来例）
３１    ユニットバスルーム
【図１】
2005307619.tif 000003
【図２】
2005307619.tif 000004